(57)【要約】【課題】  室内において写真、葉書、カード、メモ等の薄片を一時的に或いは当分の間、張っておくことができ、これによって何時でも見ることができる場所としての違和感のない、自然な設備としての額装置の提供を課題とする。【解決手段】  鏡板２０を額縁１０で装飾してなる額装置１であって、前記鏡板２０の背面側に鉄、トタン等の磁石と引っ付く材料からなる板２１を配し、若しくは磁石Ｍと引っ付くことができる材料からなる粉状体をペースト状にして塗りつけ、これによって前記鏡板２０の前面において磁石Ｍによる写真、葉書等の薄片Ｐの押さえ留めができるようにしてある。【選択図】        図２
2006068419.tif 000002
【特許請求の範囲】
【請求項１】
鏡板を額縁で装飾してなる額装置であって、前記鏡板の背面側に鉄、トタン等の磁石と引っ付く材料からなる板を配し、若しくは磁石と引っ付くことができる材料からなる粉状体をペースト状にして塗りつけ、これによって前記鏡板の前面において磁石による写真、葉書等の薄片の押さえ留めができるようにしてあることを特徴とする額装置。
【請求項２】
額縁内の前面に透明板を配し、その透明板の背面に作品を収容するようにした額装置であって、作品の背面側に鉄、トタン等の磁石と引っ付く材料からなる板を配し、若しくは磁石と引っ付くことができる材料からなる粉状体をペースト状にして塗りつけた板を配し、これによって前記透明板の前面において磁石による写真、葉書等の薄片の押さえ留めができるようにしてあることを特徴とする額装置。
【発明の詳細な説明】
【技術分野】
【０００１】
本発明は室内等に飾られ或いは配置される額装置に関する。
【背景技術】
【０００２】
家族の写真やその他の気に入っている写真等を室内に飾って何時でも見ることができるようにしておく傾向は欧米では昔から多くあり、また日本でも最近はその傾向が増加しつつある。
一般に、比較的大きな写真等は額に収めて室内の壁等に掛ける場合が多い。また絵画等や貴重品としての写真等は小さくても額に収めて飾ったりする。その一方、比較的小さなブロマイド等の写真、ポスター、葉書、その他のカード等の多くは、額等に収められることが割と少なく、むしろ壁や柱等に押しピン等のピンで留められることが多い。
他方、最近においてはホワイトボードといった、スケジュールやメモ書きができるようにしたものも世の中に出回っており、このホワイトボードには、磁石が吸着できるようになされたものもある。
【発明の開示】
【発明が解決しようとする課題】
【０００３】
ところが上記比較的小さな写真、ポスター、葉書、カード等の薄片を室内の壁や柱にピンで留めると、壁や柱が傷つき、次第に汚くなり、また欠損や破損を招く欠点がある。またそれら写真等の薄片にも傷が着いてしまう欠点がある。にもかかわらず、一般的に言って通常の家屋の室内は、それら写真等の薄片をピン留め以外の方法で飾るのに適した構造にはなっていない。
勿論、それら写真等の薄片を糊で柱や壁に貼ることも可能であるが、壁や柱が汚れるので好ましくない。
一方、上記磁石が吸着できるようにしたホワイトボードでは、ボード面にメモなどを磁石で留めておくこともできるが、それらホワイトボードはその本来の目的がスケジュールやメモを書くことであり、むしろ事務的目的のための事務用品に近く、事務的目的のない室内には設置するような代物ではない。また室内装飾品でもないホワイトボードは、通常の室内の雰囲気、環境にしっくりと馴染まない。
【０００４】
そこで本発明は上記従来における欠点、問題点を解消し、室内において、写真、葉書、カード、メモ等の薄片を一時的に或いは当分の間、張っておくことができ、これによって何時でも見ることができる場所として違和感のない、自然な設備としての額装置の提供を課題とする。
【課題を解決するための手段】
【０００５】
上記課題を達成するため、本発明者は室内に設置される鏡や額に着目し、これら鏡や額を前記写真、葉書、カード、メモ、その他の薄片を張り付けておく場所としての設備に用いることとして、本発明を完成した。
前記鏡は洗面所、玄関、各部屋など、室内の色々な場所の壁等に設置され、一般に顔や姿見として使用されている。そして鏡は、その前にあるものを映すためのものであるから鏡の前に邪魔なものがあってはならないという固定観念が確立しており、またガラスである鏡にはピン留め等による固定は効かないという観念も確立している。このようなことから、これまでは鏡の表面は像を映すだけのためにのみ専用で用いられてきたと言っても過言ではない。
一方、額は写真や絵画等を収容して室内の壁等に設置されるものである。額の前面に配置されるガラス等の透明板は、内部の作品を保護すると共に、内部の作品を遮ることがないようにするものである。従って前記額前面の透明板は、その表面に何も付着させたりしないものとして用いられてきた。
本発明者はこれらの鏡や額等の室内装飾品に着目し、それら鏡や額の本来の機能を十分に発揮できるようにしながら、それらの有する平坦でまとまった面積を大いに利用して、写真やその他の薄片を必要な当座の期間、留め外し自在に取り付けておくことができる装置に改良し、本発明の額装置を完成した。
【０００６】
即ち本発明の額装置は、鏡板を額縁で装飾してなる額装置であって、前記鏡板の背面側に鉄、トタン等の磁石と引っ付く材料からなる板を配し、若しくは磁石と引っ付くことができる材料からなる粉状体をペースト状にして塗りつけ、これによって前記鏡板の前面において磁石による写真、葉書等の薄片の押さえ留めができるようにしてあることを第１の特徴としている。
ここにおいて、鏡板とは板状の鏡の意味である。
また本発明の額装置は、額縁内の前面に透明板を配し、その透明板の背面に作品を収容するようにした額装置であって、作品の背面側に鉄、トタン等の磁石と引っ付く材料からなる板を配し、若しくは磁石と引っ付くことができる材料からなる粉状体をペースト状にして塗りつけた板を配し、これによって前記透明板の前面において磁石による写真、葉書等の薄片の押さえ留めができるようにしてあることを第２の特徴としている。
【発明の効果】
【０００７】
請求項１に記載の額装置によれば、額装置の構成要素である鏡板は、その背面側に磁石と引っ付く材料からなる板を配し若しくは磁石と引っ付く材料からなる粉状体をペースト状にして塗りつけてあるので、磁石を鏡板の前面側から作用させることで、該磁石を鏡板の前面に吸い付かせることが可能となる。よって、磁石を用いて写真や葉書等の薄片を鏡板の前面に着脱自在に押さえて留めることができる。
磁石による写真や葉書等の薄片の押さえ留めは、鏡板の使用に邪魔にならない部分（例えば隅の部分）に対して行うことにより、鏡板の鏡としての機能を邪魔することなく利用できる。
また必要に応じて薄片の押さえ留め位置を移動させることができるので、鏡を見たい場合は薄片を隅の方に移動させ、また薄片を主に見たい場合は薄片を中央に移動させることで、目的に応じて鏡板が有する２つの機能の一方を選択して十分に活用することができる。
また鏡板を鏡として用いる際には、留めてある薄片を一時的に鏡板から取り外して、鏡板の全面を鏡として用いることも簡単に行えるメリットがある。
また薄片は、都合に応じて何時でも別の物に簡単に取り替えることができる。
勿論、鏡板は額縁で装飾された額装置とされているので、室内の何処に設置しても違和感なく室内装飾品として自然に受け入れられ、且つ本来の鏡の機能を兼ねて使用することができる。
また磁石を用いて留めるので、額の鏡板や留められる薄片が汚れたり傷ついたりすることもない。
【０００８】
また請求項２に記載の額装置によれば、額縁内の前面に透明板を配し、その透明板の背面側に作品を収容するようにした額装置であって、作品の背面側に磁石と引っ付く材料からなる板を配し、若しくは磁石と引っ付くことができる材料からなる粉状体をペースト状として塗りつけた板を配したことで、磁石を透明板の前面側から作用させることで、該磁石を透明板の前面に吸い付かせることが可能となる。よって磁石を用いて写真や葉書等の薄片を額前面の、まとまった面積のある透明板に対して自由に押さえて留めておくことができる。
また磁石による写真等の薄片の押さえ留めは、透明板の何れの場所にも自由に留めることができるので、作品の邪魔にならないようにすることも可能である。
また作品を見るのを主とするか、押さえ留められた写真等の薄片を見るのを主とするかで、薄片の押さえ留め位置を移動させることができ、所望の対象を簡単に選択するようにして利用することができる。
また額の作品をよく見たいときには、薄片を一時的に取り外すこともごく簡単に行えるメリットがある。
また押さえ留められている薄片を、何時でも都合に応じて別のものに簡単に取り替えることができる。
勿論、作品が収容される額装置であるので、室内の何処に設置しても違和感なく自然に受け入れられ、本来の額の目的を兼ねて使用することができる。
また磁石を用いて留めるので、額の透明板や留められる薄片が汚れたり傷ついたりすることもない。
【発明を実施するための最良の形態】
【０００９】
図１〜図３は本発明の第１の実施形態を示し、図１は額装置の正面図、図２は額装置の一部断面斜視図、図３は鏡板の背面側からの斜視図である。
【００１０】
額装置１は、額縁１０と鏡板２０と裏当て板３０とを有する。
前記額縁１０は木製、プラスチック製、金属製とすることができ、鏡板２０の周囲を装飾する額縁である。
【００１１】
前記鏡板２０は、その周縁部が額縁１０の開口１１の周縁内壁１２に対して当接し、額縁１０の開口１１から前方に臨んでいる。
前記裏当て板３０は、鏡板２０の背後に重ねられて、鏡板２０を額縁１０の前記周縁内壁１２に押し当てる役割を果たすと共に、係止片４０により係止されて額装置１の背面を構成する。
額装置１への鏡板２０、裏当て板３０の取付構造は、一般の額の場合と変わりない。
【００１２】
前記鏡板２０の背面側にトタン板２１が接着されている。トタン板２１の大きさは鏡板２０と同じとするか、少し小さく構成する。トタン板２１の代わりに鉄板としてもよい。更には、磁石に引っ付くことができる材料からなる板を用いて接着してもよい。
トタン板２１は接着剤で接着することができるが、トタン板２１は必ずしも接着剤等の接着手段によって鏡板２０に接着している必要はない。鏡板２０の背面側にトタン板２１を接触して或いは近接して配した状態であっても可能である。要するにトタン板２１を鏡板２０に密接させることで、後述する磁石Ｍからの磁力線がトタン板２１に到達しやすいようにするものである。その意味で、前記トタン板２１を裏当て板３０で兼ねることも可能である。本発明は、このような場合もその技術範囲に属する。
【００１３】
上記において、トタン板２１を用いる代わりに、鏡板２０の背面側に磁石に引っ付くことができる材料からなる粉状体をペースト状にして塗りつけた状態に構成してもよい。
【００１４】
以上のようにして構成した額装置１においては、磁石Ｍが額装置１の鏡板２０の前面に吸着することができるので、写真、葉書、その他の薄片Ｐを磁石Ｍで鏡板２０の前面に押さえ留めすることができる。押さえ留めする位置は鏡板２０の前面の何れの位置でも良い。鏡板２０を鏡として使用するのに邪魔となる場合は、押さえ留めしていた薄片Ｐを磁石Ｍと共に邪魔にならない位置に移動させるか、一時的に鏡板２０から取り外せばよい。
額装置１の大きさは、大きいものから小さいものまで種々の大きさのものを用いることができる。
以上のように本発明の額装置１は、鏡の機能を発揮するが、写真等の薄片Ｐを一時的に飾ったり、留めておくことができ、鑑賞に供したり、メモとする等、非常に便利で大きくその利用価値を増大させることができる。勿論、磁石Ｍで薄片Ｐを留めるだけであるで、留め外しが容易で、また鏡板２０、薄片Ｐとも汚れたり傷ついたりすることがない。
【００１５】
図４を参照して、本発明の第２の実施形態を説明する。
図４は額装置の一部断面斜視図である。
【００１６】
この第２の実施形態の額装置２は、額縁５０と透明板６０と作品Ｗと裏当て板７０とを有する。
前記額縁５０は木製、プラスチック製、金属製とすることができ、透明板６０、作品Ｗの周囲を装飾する額縁である。
前記透明板６０は、ガラス板やアクリル板とすることができる。透明板６０は、その周縁部が額縁５０の開口５１の周縁内壁５２に対して当接し、額縁５０の開口５１から前方に臨んでいる。
【００１７】
前記作品Ｗは透明板６０の背面にあてがわれて収容される。
前記裏当て板７０は作品Ｗの背後に重ねられて、作品Ｗを透明板６０に押し当てる役割を果たすと共に、係止片８０で係止されて額装置２の背面を構成する。
【００１８】
前記裏当て板７０の前面にトタン板７１が接着されている。トタン板７１の大きさは裏当て板７０と同じとする。トタン板７１の代わりに鉄板としてもよい。更には磁石Ｍに引っ付くことができる材料からなる板を用いて、裏当て板７０の前面に接着してもよい。
トタン板７１は接着剤で裏当て板７０に接着することができるが、トタン板７１は必ずしも接着剤等の接着手段によって裏当て板７０に接着している必要はない。トタン板７１は作品Ｗの背面側に配されることを前提として、作品Ｗと裏当て板７０との間に配置することができる。要するに作品Ｗの背面側から密に接することで、磁石Ｍからの磁力線がトタン板７１に到達しやすいようにするものである。その意味で、前記トタン板７１を裏当て板７０そのもので兼ねることも可能である。本発明は、このような場合もその技術範囲に属する。
【００１９】
上記においてトタン板７１を用いる代わりに、裏当て板７０の前面側に磁石に引っ付くことができる材料からなる粉状体をペースト状にして塗りつけた状態に構成した板を用いてもよい。
【００２０】
以上のようにして構成した額装置２においては、磁石Ｍが額装置２の透明板６０の前面に吸着することができるので、写真、葉書、その他の薄片Ｐを磁石Ｍで透明板６０の前面に押さえ留めすることができる。押さえ留めする位置は透明板６０の前面の何れの位置でも良い。作品Ｗを見るのに薄片Ｐが邪魔となる場合は、押さえ留めしていた薄片Ｐを磁石Ｍと共に邪魔にならない位置に移動させるか、一時的に透明板６０から取り外せばよい。
額装置２は、額として作品Ｗを鑑賞することができると共に、写真等の薄片Ｐを一時的に飾ったり、留めておくことができ、非常に便利で利用価値が大である。勿論、磁石Ｍで薄片Ｐを留めるだけであるので、留め外しが容易で、また透明板６０、薄片Ｐとも汚れたり傷ついたりすることがない。
【図面の簡単な説明】
【００２１】
【図１】本発明の第１の実施形態を示す額装置の正面図である。
【図２】本発明の第１の実施形態を示す額装置の一部断面斜視図である。
【図３】本発明の第１の実施形態を示す額装置の鏡板の背面側からの斜視図である。
【図４】本発明の第２の実施形態を示す額装置の一部断面斜視図である。
【符号の説明】
【００２２】
１、２  額装置
１０    額縁
１１    開口
１２    周縁内壁
２０    鏡板
２１    トタン板
３０    裏当て板
４０    係止片
５０    額縁
６０    透明板
６１    開口
６２    周縁内壁
７０    裏当て板
７１    トタン板
８０    係止片
Ｍ      磁石
Ｐ      薄片
Ｗ      作品
【図１】
2006068419.tif 000003
【図２】
2006068419.tif 000004
【図３】
2006068419.tif 000005
【図４】
2006068419.tif 000006